【事件の表示】
　平成　８年特許願第１５８３８５号「移動通信システムとその移動端末機及び基地局」拒絶査定に対する審判事件［平成１０年　１月１６日出願公開、特開平１０−　１３９１８］について、次のとおり審決する。
【結　論】
　本件審判の請求は、成り立たない。
【理　由】
１．手続きの経緯および本件発明の認定
　
本件審判請求に係る特許出願は、平成８年６月１９日になされたものであって、平成１３年９月１７日付け、平成１３年１２月１３日付け手続補正書により補正された明細書及び図面の記載から見て、その請求項２の発明（以下、本件発明という）は明細書の特許請求の範囲の請求項２に記載されるとおりの以下のものである。
　
「所定の無線エリアを形成する基地局と無線チャネルを介して接続し、前記基地局との間の無線チャネルの設定に符号分割多元接続方式を使用する移動無線機において、
　直交符号を用いてスペクトラム拡散した上りチャネル信号を基地局へ送信する送信手段と、
　前記移動無線機が送信した上りチャネル信号が複数のパスを有して受信される場合に、当該基地局において、ＲＡＫＥ受信を用いて選択される前記複数のパスのうち受信レベルが最大となるパスと、他の移動無線機の上りチャネル信号の受信レベルが最大となるパスとの相互間の位相差を零とするべく生成されるタイミング制御情報を、前記基地局から受信する受信手段と、
　この受信手段により受信されたタイミング制御情報に基づいて、前記送信手段が送信する上りチャネル信号の送信タイミングを制御する制御手段と
　を具備したことを特徴とする移動無線機。」
　
　なお、「複数のパスのうち受信レベルが最大となるパスと、他の移動無線機の上りチャネル信号の受信レベルが最大となるパスとの相互間の位相差」という記載について、パスとパスとの相互間の位相差という記載は、あるパスを経た信号と別のパスを経た信号の位相差という意味であり、
　すなわち上記括弧内の記載は、「ある移動無線機から送信され基地局において受信レベルが最大である信号と、他の移動無線機から送信され基地局において受信レベルが最大である信号の相互間の基地局における位相差」の意味であると認める。
　
２．引用文献記載の発明の認定
　
（１）一方、原査定の拒絶の理由に記載された、国際公開９５／１５６２６号パンフレット（以下、引用文献１という）には以下のことが記載されている。
　
（ア）「In code-division multiple access (CDMA) communication 
systems, communication between a base-station and a subscriber unit 
is accomplished by spreading each transmitted signal over the 
frequency band of the communication channel with a unique user 
spreading code. 
As a result, transmitted signals are in the same frequency band of 
the communication channel and are separated only by the unique 
user spreading codes. These unique user spreading codes preferably 
are orthogonal to one another such that the cross-correlation 
between the spreading codes is substantially zero. 
Particular transmitted signals can be retrieved from the 
communication channel by despreading a signal representative of the 
sum of signals in the communication channel with a user spreading 
code related to the particular transmitted signal which is to be 
retrieved from the communication channel. 
Further, when the user spreading codes are orthogonal to one 
another, the received signal can be correlated with a particular 
user spreading code such that only the desired user signal related 
to the particular spreading code is enhanced while the other signals 
for all of the other users are significantly de-emphasized. 」
（訳：符号分割多元接続（ＣＤＭＡ）通信システムにおいて、基地局と加入者ユニットとの間の通信は、通信チャネルの周波数帯域上で送信される各信号を固有のユーザ拡散符号で拡散することにより達成される。その結果、送信信号は通信チャネルの同じ周波数帯域であり、固有のユーザ拡散符号によってのみ分離される。これらの固有のユーザ拡散符号は、好ましくは互いに直交し、拡散符号間の相互相関は実質的にゼロである。特定の送信信号は、通信チャネルにおける信号の和を表す信号を、通信チャネルから取り出すべき特定の送信信号に関連するユーザ拡散符号で逆拡散することにより取り出すことができる。さらにユーザ拡散符号が互いに直交する場合、受信信号は特定のユーザ拡散符号と関連付けることができ、そのため特定の拡散符号と関連する所望のユーザ信号のみを強調し、他の全てのユーザの信号は著しく弱められる。）
（第１頁第１５行から第３４行）
　
（イ）「To maintain orthogonality among all channels, the channels 
must be substantially time aligned on a per-chip basis....However,
time alignment of reverse channel signals (from subscriber units to 
a particular base-station) is not as simple due to the time-
randomness of transmissions by subscriber units. ...Thus, a need 
exists for a simple and cost effective method and apparatus for 
time aligning signals for reception in a CDMA communication 
system. 」
(訳：全てのチャネル間で直交性を維持するため、チャネルはチップ単位で実質的に時間的に整合しなければならない。（中略）しかし、（加入者ユニットから特定の基地局に対する）逆方向チャネル信号の時間的整合をとることは、加入者ユニットによる伝送の時間的ランダム性のためそれほど簡単ではない。（中略）従って、ＣＤＭＡ通信システムにおいて受信のため信号の時間的整合をとる簡単かつコスト効率的な方法及び装置が必要とされている。）
（第２頁第１行から第１５行より抜粋）
　
（ウ）「A coherent reverse channel, a per-chip spreading function, 
orthogonal spreading functions and a time alignment of all traffic 
channels are implemented such that the main signal of each channel 
arrives at a base-station within a fraction of a chip of one another
in accordance with the invention. 
With this, the orthogonality among all channels is maintained, 
and, when demodulated, all channels except the channel of interest 
provides a cross-correlation of substantially zero with respect to 
the remaining signals. 」
（訳：コヒーレント逆方向チャネル、チップ単位拡散機能、直交拡散機能、およびすべてのトラフィック・チャネルの時間的整合は、本発明により、各チャネルの主たる信号が互いのチップ数分の１以内に基地局に到着するように実現される。これにより、全てのチャネル間の直交性は維持され、復調されたときに、所望チャネル以外のすべてのチャネルは残りのチャネルに関してほぼゼロの自己相互相関を与える）
（第２頁第３１行から第３頁第７行）
　
（エ）「Comparator 169 has as input a clock signal 149 
output from clock 151 and a power estimate signal 148 output 
from power estimator 146. ...During operation, demodulator 
122 outputs signals 148 and 149 (as does, inter alia, demodulator 
123 with its corresponding clock signal 153 and power estimate 
signal 155) to comparator 169 where the signal with the 
strongest estimated power is determined. 
In the preferred embodiment, four demodulators are utilized 
to receive a single transmission from a subscriber unit. 
Each demodulator demodulates a delayed ray of the subscriber 
unit's transmission based on an assignment determined by the
energy of the delayed ray. ...Continuing, the clock signal from
the demodulator having the strongest estimated power is then 
utilized to compare, in comparator 169, the time of arrival of 
that delayed ray received with a reference value so as to 
determine a time position for each signal. 」
（訳：比較器１６９はクロック１５１から出力されるクロック信号１４９と、電力推定器１４６から出力される電力推定信号１４８とを入力として有する。（中略）動作中、復調器１２２は信号１４８と１４９を、同様に復調器１２３はクロック信号１５３と電力推定信号１５５を、比較器１６９に出力し、ここで最大の推定電力を有する信号が決定される。望ましい実施例では、加入者ユニットからの単一の送信を受信するため４つの復調器が利用される。各復調器は、遅延波のエネルギーによって決定される割り当てに基づき、加入者ユニットの送信の遅延波を復調する。（中略）さらに、最強の推定電力を有する復調器からのクロック信号は、比較器１６９において、受信された遅延波の到着時間と基準値とを比較するために用いられ、各信号の時間位置を判定する。）
（第３頁第２２行から第４頁第８行より抜粋）
　
（オ）「Once the time position of the signal is determined, 
comparator 169 produces an alignment signal 171 which is 
transmitted to a subscriber unit, such as a subscriber unit 
comprised of, inter alia, blocks 100 and 116. 
The subscriber unit receives the alignment signal, adjusts a 
clock based on the alignment signal, and transmits information 
to a base-station utilizing the adjusted clock. 
In this manner, the technique in accordance with the invention 
is utilized to either advance/retard a subscriber unit's 
transmission as seen by the base-station. 
In the preferred embodiment, operation of modulator 170 is 
substantially equivalent to the operation of modulator 117. 
Alignment signal 171 is input into modulator 170, as is signal 
172 (substantially equivalent to signal 114). 
Modulator 170 then transmits, inter alia, alignment signal 171 to 
the corresponding subscriber unit (and other alignment signals 
to other corresponding subscriber units) such that any subsequent 
signals transmitted by the plurality of subscriber units are 
received by the base-station substantially in time alignment. 」
（訳：信号の時間位置が決定されると、比較器１６９は例えばブロック１００と１１６からなる加入者ユニットに送信される整合信号１７１を生成する。加入者ユニットは整合信号を受信し、この整合信号に基づきクロックを調整し、調整されたクロックを利用して基地局に情報を送信する。このように、本発明による方法は基地局から見て加入者ユニットの送信を進めたり遅らせたりするために利用される。
　好ましい実施例では、変調器１７０の動作は実質的に変調器１１７の動作と同等である。整合信号１７１は信号１７２（これは信号１１４と実質的に同等である）と同様に変調器１７０に入力される。次に、変調器１７０は整合信号１７１を対応する加入者ユニットに送信し（その他の整合信号を対応する加入者ユニットに送信し）、複数の加入者ユニットからその後送信される信号は、実質的に時間的に整合した状態で基地局に受信される。）
（第４頁第２５行から第５頁第９行）
　
　ここで、引用文献１記載の発明においては、
（ア）の記載からみて、複数の加入者ユニットとの間の無線チャネルの設定に符号分割多元接続方式を使用する基地局からなる通信システムについて、各加入者ユニットから互いに直交するユーザ拡散符号で拡散され送信された信号を基地局で受信するものであり、これらの処理を行うため各加入者ユニットは送信手段を当然備えるいうことができ、
（イ）（ウ）の記載から見て、基地局での信号の直交性を維持するため、複数の加入者ユニットから基地局への各チャネルの主たる信号が互いのチップの数分の１内で基地局に受信させることを実現するものであること、
（オ）の記載から見て、基地局から複数の加入者ユニットの時間整合を行うための信号を送信し、各加入者ユニットではこの時間整合のための信号を受信し、この信号に基づきクロックを調整し、この調整済みクロックを利用して情報を基地局に送ることで、複数の加入者ユニットによってその後送信される信号が実質的に時間整合して基地局に受信されるようにするものであり、これらの処理を行うため各加入者ユニットは時間整合のための信号を受信する受信手段と、受信した時間整合のための信号に基づき情報を送るタイミングを制御する手段を当然備えるということができる。
　
　さらに、引用文献１記載の発明においては、（エ）の記載からみて、基地局において加入者ユニットからの信号およびその遅延波が複数のパスを通じて受信され、その中で最強の強度の信号、即ち受信レベルが最大の信号を取り出せるものであるから、（ウ）に記載される各チャネルの主たる信号とは、加入者ユニットから複数のパスを通じて基地局に到達する信号のうち、基地局において受信されるレベルが最大の信号であるということができる。
　　
してみれば、引用文献１には、
　
　所定の無線エリアを形成する基地局と無線チャネルを介して接続し、前記基地局との間の無線チャネルの設定に符号分割多元接続方式を使用する加入者ユニットにおいて、
　直交符号を用いてスペクトラム拡散した加入者ユニットから基地局への信号を基地局へ送信する送信手段と、
　前記加入者ユニットが送信した信号が複数のパスを有して受信される場合に、当該基地局において、前記複数のパスのうち受信レベルが最大となるパスの信号と、他の加入者ユニットから基地局への信号の受信レベルが最大となるパスの信号とが、互いのチップ数分の１で着信することで直交性を維持されるように生成される時間整合信号を、前記基地局から受信する受信手段と、
　この受信手段により受信された時間整合信号に基づいて、前記送信手段が送信する加入者ユニットから基地局への信号の送信タイミングを制御する制御手段と
　を具備したことを特徴とする加入者ユニット。
　
が記載されているものと認める。
　
（２）また、本件出願前に周知の文献である特開平７−２７３６８９号公報には、
　
「ＣＤＭＡ方式は、・・・・マルチパス成分を最大比合成するＲＡＫＥ受信機によってダイバーシチ効果も期待できる。・・・具体的には、拡散符号の各位相における相関レベルを測定することによって、各パスの受信電力を推定することができる。復調装置１〜３では、伝送路状態推定手段６で推定した受信電力レベルの中でレベルの高い位相について復調を行う。」
（第２頁左段第４８行から右段第３３行より抜粋）
　
と記載されており、さらに図４（ａ）（ｂ）の記載から見て、ＲＡＫＥ受信において複数のパスの受信レベルが推定でき、この中の最大のものも推定できるものといえるから、ＲＡＫＥ受信を用いて複数のパスのうち受信レベルが最大となるパスが取り出せることは、周知の技術思想にすぎないものと認められる。
　
３．本件発明と引用文献記載の発明との対比
  　
　本件発明と引用文献１記載の発明とを対比すると、
　
　引用文献１記載の発明の「加入者ユニット」「時間整合信号」「加入者ユニットから基地局への信号」は本件発明の「移動無線機」「タイミング制御情報」「上りチャネル信号」に相当するから、両者は、
　
　所定の無線エリアを形成する基地局と無線チャネルを介して接続し、前記基地局との間の無線チャネルの設定に符号分割多元接続方式を使用する移動無線機において、
　直交符号を用いてスペクトラム拡散した上りチャネル信号を基地局へ送信する送信手段と、
　前記移動無線機が送信した上りチャネル信号が複数のパスを有して受信される場合に、当該基地局において、前記複数のパスのうち受信レベルが最大となるパスと、他の移動無線機の上りチャネル信号の最大のパスとから生成されるタイミング制御情報を、前記基地局から受信する受信手段と、
　この受信手段により受信されたタイミング制御情報に基づいて、前記送信手段が送信する上りチャネル信号の送信タイミングを制御する制御手段と
　を具備したことを特徴とする移動無線機。
　
の点で一致するものと認める。
　
一方、両者は以下の点で相違するものと認める。
  　
（ａ）移動無線機が送信した上りチャネル信号が複数のパスを有して基地局で受信される場合に複数のパスのうち受信レベルが最大となるパスを選択するにあたって、本件発明は、ＲＡＫＥ受信を用いているのに対して、引用文献１記載の発明では、ＲＡＫＥ受信を用いるかどうかについての言及はない点、
　
（ｂ）移動無線機が基地局から受信するタイミング制御情報について、
　本件発明は、ある移動無線機の上りチャネル信号の基地局において受信レベルが最大となるパスと、他の移動無線機の上りチャネル信号の受信レベルが最大となるパスとの相互間の位相差を零とするべく生成されるタイミング制御情報であるのに対して、
　引用文献１記載の発明では、ある移動無線機の上りチャネル信号の基地局において受信レベルが最大となるパスの信号、他の移動無線機の上りチャネル信号の受信レベルが最大となるパスの信号から、互いのチップ数分の１で着信することでチャネル信号の相互間の直交性を維持されるように生成されるタイミング制御情報である点、
　
において相違する。
　
　
４．相違点の判断
　
　上記相違点について検討する。
　
　相違点（ａ）について、
上記２（２）のとおり、移動無線機が送信した上りチャネル信号が複数のパスを有して基地局で受信される場合に、ＲＡＫＥ受信を用いて複数のパスのうち受信レベルが最大となるパスが取り出せることは符号分割多元接続方式における周知技術にすぎず、この周知技術を引用文献１記載の発明に適用することに格別の困難性はない。
　
　相違点（ｂ）について、
本件出願の明細書段落０００７から０００８の「各移動局から基地局に向かう上りチャネルにおいては、各上りチャネル信号が基地局で受信されるタイミングが移動局の位置によりまちまちになるため、各上りチャネル信号の直交性が保持されず、この結果チャネル間干渉が避けられずチャネル収容容量の増加を図ることが困難だった。この発明は上記事情に着目してなされたもので、その目的とするところは、上りチャネルにおいても直交符号間の直交性を保持してチャネル間干渉の少ない高品質な無線通信を可能とし、これによりチャネル収容容量の増加を図り得る移動通信システムとその無線通信装置を提供することにある」という記載、および引用文献１の（イ）の記載から見て、本件発明および引用文献１記載の発明における技術的課題は「各上りチャネル信号間の直交性を保つこと」という共通のものであり、この目的を達成するために、引用文献１記載の発明は基地局から送られるタイミング制御信号を受けて各移動無線機の送信タイミングを、各移動無線機の主たる信号が互いのチップ数分の１以内に、すなわちチャネル信号間の直交性を保つ範囲内に基地局に到着するように制御するものである。
　してみれば、チャネル信号間の直交性を保つために、
　引用文献１記載の発明のように、ある移動無線機の上りチャネル信号の基地局において受信レベルが最大となるパスの信号、他の移動無線機の上りチャネル信号の受信レベルが最大となるパスの信号から、互いのチップ数分の１で着信するようにタイミング制御情報を生成するように構成するか、
　本件発明のように、ある移動無線機の上りチャネル信号の基地局において受信レベルが最大となるパスと、他の移動無線機の上りチャネル信号の受信レベルが最大となるパスとの相互間の位相差を零とするべく、タイミング制御情報を生成するように構成するかは当業者がなし得る設計的選択事項にすぎないものである。
　
４．結び
　以上のとおり、本件発明は、引用文献１記載の発明および周知技術に基づいて当業者が容易に発明をすることができたものであるから、特許法第２９条第２項の規定により特許を受けることができない。　
　
　よって、結論のとおり審決する。